(57)【要約】      （修正有）【課題】ケーシング引抜きの際の落下が確実に防止できる作業機械の伸縮ケーシングを提供する。【解決手段】作業機械に吊持され埋設された杭の周囲地盤を地切りする筒状のケーシングにおいて、径の異なる複数個のケーシング２，３，４を同心軸状にして重畳させ、隣接するケーシング同士に昇降装置を設け、ケーシング全体の長さを伸縮するようにした。ケーシングにおける中間ケーシング３や第３ケーシング４が、地切り作業が終了した後で、地上に引き上げられるとき、継ぎ足しでは無く一体化された多重層のケーシングなので、一部が落下することが無い。【選択図】図１
0003186376.tif 000002
【実用新案登録請求の範囲】
【請求項１】
作業機械に吊持され埋設された杭の周囲地盤を地切りする筒状のケーシングにおいて、
径の異なる複数個のケーシングを同心軸状にして重畳させ、
前記隣接するケーシング同士に昇降装置を設け、
ケーシング全体の長さを伸縮するようにしたこと、
を特徴とする作業機械の伸縮ケーシング。
【請求項２】
ケーシングには、その先端部から土を粉砕する掘削用の水が噴射されるように、水ホースが備えられていること、
を特徴とする請求項１に記載の作業機械の伸縮ケーシング。
【請求項３】
複数個のケーシングのうち、最外側のケーシングには、ケーシングを独立して伸縮させる駆動装置と駆動源とが少なくとも設けられていること、
を特徴とする請求項１または２に記載の作業機械の伸縮ケーシング。
【請求項４】
ケーシングは、３重であること、
を特徴とする請求項１乃至３のいずれか１項に記載の作業機械の伸縮ケーシング。
【考案の詳細な説明】
【技術分野】
【０００１】
本考案は、地盤の杭抜き作業において、杭をクレーン等で引く抜くために、予め杭周囲地盤の地切りを行う、作業機械の伸縮ケーシングに関するものである。
【背景技術】
【０００２】
従来、作業機械の伸縮ケーシングは、特許文献１に記載されているように、多関節アームにオーガ駆動装置およびケーシングを具備した比較的小型の作業機により、先端部に掘削爪を備えた前記ケーシングを杭に対して回転させながら埋設して、杭周囲地盤の地切りを行い、その後、ケーシングに加振装置で振動を加えながらこれを地上に引き抜き、地盤に埋設されていた前記杭をクレーンなどで引き抜くものである。
【先行技術文献】
【特許文献】
【０００３】
【特許文献１】特開２００３−１５５７４７号公報
【考案の概要】
【考案が解決しようとする課題】
【０００４】
しかし、従来の作業機械では、長い杭を引く抜きには限界がある。即ち、引抜くべき杭が長いと、杭周囲地盤の地切りを行うケーシングを、複数本継ぎ足しながら埋設させて杭の周囲地盤を地切りしている。そのケーシングによる地切り作業が終了すると、前記ケーシングを引き上げる作業になるが、ケーシングを引き上げる際に、継ぎ足したケーシングのうち、継ぎ足した下側のケーシングが落下しないように注意する必要がある。
【０００５】
そのために、前記継ぎ足したケーシングを支持部材で支えるようにしたり、下側のケーシングが落下した時には、深く掘り下げて抜き取りしたりするなど、時間や手間が多く掛かっている。本考案に係る作業機械の伸縮ケーシングは、このような課題を解決するために提案されたものである。
【課題を解決するための手段】
【０００６】
本考案に係る作業機械の伸縮ケーシングの上記課題を解決して目的を達成するための要旨は、作業機械に吊持され埋設された杭の周囲地盤を地切りする筒状のケーシングにおいて、径の異なる複数個のケーシングを同心軸状にして重畳させ、前記隣接するケーシング同士に昇降装置を設け、ケーシング全体の長さを伸縮するようにしたことである。
【０００７】
前記ケーシングには、その先端部から土を粉砕する掘削用の水が噴射されるように、水ホースが備えられていることである。
また、前記複数個のケーシングのうち、最外側のケーシングには、ケーシングを独立して伸縮させる駆動装置と駆動源とが少なくとも設けられていることである。
更に、前記ケーシングは、３重であることを含むものである。
【考案の効果】
【０００８】
本考案の作業機械の伸縮ケーシングによれば、地盤に埋設された杭の長さが長くても、それに応じてケーシング長さを伸長させて地切りが可能であるとともに、重畳させたケーシングが一体的に構成されているので、ケーシング引抜きの際の落下が確実に防止できる。
【０００９】
また、ケーシングによる地切り作業の途中で、ケーシングの埋設作業を一旦中断させて、ケーシングを継ぎ足すという従来必要であった手間及び工期も、この本考案の伸縮ケーシングによって不要となる。よって、ケーシングによる地切り作業の安全性が確保されるとともに作業能率が向上する。
【図面の簡単な説明】
【００１０】
【図１】本考案の作業機械の伸縮ケーシング１における、側断面図である。
【図２】同本考案に係る作業機械の伸縮ケーシング１の平面図である。
【図３】同本考案に係る作業機械の伸縮ケーシング１を伸縮させた状態の一部側断面図である。
【図４】同本考案に係る作業機械の伸縮ケーシング１に水ホースを設けた例を示す側断面図である。
【図５】同本考案に係る作業機械の伸縮ケーシング１に水ホースを設ける場合の平面図である。
【図６】同本考案に係る作業機械の伸縮ケーシング１に水ホースを設けてケーシングを伸長させて状態の側断面図である。
【図７】従来例に係るケーシングを有した作業機の使用状態を示す説明図である。
【考案を実施するための形態】
【００１１】
本考案に係る作業機械の伸縮ケーシング１は、多重層のケーシングとして当該ケーシングの長さを伸縮自在にしたものである。
【実施例】
【００１２】
本考案に係る作業機械の伸縮ケーシング１は、図１乃至図２に示すように、杭引抜き用の作業機械に吊持され、地盤に埋設された杭の周囲地盤を地切りする筒状のケーシングである。
【００１３】
この伸縮ケーシング１は、径の異なる複数個のケーシングを同心軸状にして重畳させている。その詳細は、最外側に配置される大径の第１ケーシング２、その内側の中間ケーシング３、最内側の配置される第３ケーシング４で構成されている。各ケーシング２，３，４の下端部には、掘削用の掘削爪５が設けられている。
【００１４】
前記第１ケーシング２の内部において、水平な基台２ａがあり、その上側に昇降用の駆動装置６として、電動モーターが備えられている。この駆動装置６には、プーリー６ａが取付けられ、第１ケーシング２の下側にある上下用シーブ７とともに、上下伸縮用のロープ７ａが巻き付けられてる。
【００１５】
前記ロープ７ａは、その両端部が中間ケーシング３の繋着部３ａに繋着されている。これにより、前記プーリー６ａが一方向に回転すると、前記ロープ７ａが回転され、それに伴い前記繋着部３ａが上若しくは下に移動させられる。こうして、第１ケーシング２に対して中間ケーシング３が上若しくは下に連動して移動するものである。
【００１６】
前記中間ケーシング３には、図１に示すように、その筒体の上部と下部とに伸縮用シーブ８，８が回転自在に軸着されている。そして、ロープ７ｂ，７ｃが前記伸縮用シーブ８，８に巻き回されている。
【００１７】
前記ロープ７ｂの両端部は、中間ケーシング３の上部にある伸縮用シーブ８に巻かれて、第１ケーシング２の繋着部２ｂと第３ケーシング４の繋着部４ａとに繋着されている。
【００１８】
前記ロープ７ｃは、中間ケーシング３の下部にある伸縮用シーブ８に巻かれて、第１ケーシング２の繋着部２ｂと第３ケーシング４の繋着部４ａとに繋着されている。これにより、図１と図３とに示すように、中間ケーシング３が上下に移動すると、それに伴って同方向に同移動量で第３ケーシング４が連動して移動する。
【００１９】
このようにして、前記隣接するケーシング同士に、駆動装置６、プーリー６ａ、上下用シーブ７、ロープ７ａからなる昇降装置、若しくは、繋着部２ｂ，４ａに繋着されたロープ７ｂ，７ｃ、伸縮用シーブ８，８、からなる昇降装置、が設けられ、連動して上下に移動するものである。
【００２０】
前記昇降装置があることで、例えば、駆動装置６の電動モーターが所定方向に回転すると、繋着部３ａが強制的に下降されるので、中間ケーシング３が下降し、更に、上下の伸縮用シーブ８，８が下降することで、それに連動して繋着部４ａを介して第３ケーシング４が下降する。また、その逆も、同様である。こうして、ケーシング全体の長さを伸縮するようにしたのである。
【００２１】
また、前記伸縮ケーシング１には、図４乃至図６に示すように、その先端部から土を粉砕する掘削用の水が噴射されるように、水ホース１０が備えられている。この水ホース１０は、第１ケーシング２の外側の側壁に固着された管状のガイド部２ｃ、中間ケーシング３の上部に回転自在に軸着された水ホース用シーブ８ａ、第３ケーシング４の外側の側壁に固着された管状のガイド部４ｂにより、伸縮ケーシング１の下部の先端部に配設されている。
【００２２】
前記水ホース１０の先端から高圧の水を噴射することで地盤を予め柔らかく崩し、伸縮ケーシング１による地切り作業を容易にしている。
【００２３】
以上のような構成で伸縮ケーシング１を構成して、長い杭を地盤から引き抜くものである。ケーシングにおける中間ケーシング３や第３ケーシング４が、地切り作業が終了した後で、地上に引き上げられるとき、継ぎ足しでは無く一体化された多重層のケーシングなので、当該多重層のケーシングの一部が落下するようなことが無い。
【００２４】
なお、この図示した実施例では、多重層のケーシングを３段に重畳した例を示したが、これに限らず、更に多く重畳させても良い。また、駆動装置６として、電動モーターを使用したが、これに限らず、油圧モーター等としても良い。
【００２５】
更に、この駆動装置６用の駆動源として、バッテリー、スイッチ装置、制御装置および無線受信機などを伸縮ケーシング１の基台２ａに備えて、独立して中間ケーシング３および第３ケーシング４が昇降できるようにしても良く、若しくは、作業機１１からアーム１２ａを介して電気ケーブル、または、油圧ホースを駆動源から配設し、駆動装置６に供給するようにしても良い。
【産業上の利用可能性】
【００２６】
本考案に係る作業機械の伸縮ケーシング１は、杭の引き抜きに限らず、例えば、地盤に孔を穿孔する作業などにも適用できるものである。
【符号の説明】
【００２７】
１          作業機械の伸縮ケーシング、
２          第１ケーシング、                  ２ａ      基台、
２ｂ        繋着部、                          ２ｃ      ガイド部、
３          中間ケーシング、                  ３ａ      繋着部、
４          第３ケーシング、                  ４ａ      繋着部、
４ｂ        ガイド部、
５          掘削爪、    
６          駆動装置、                        ６ａ      プーリー、
７          上下用シーブ、                    ７ａ      ロープ、  
７ｂ        ロープ、                          ７ｃ      ロープ、
８          伸縮用シーブ、                    ８ａ      水ホース用シーブ、
９          杭、
１０        水ホース、
１１        作業機、                          １１ａ      クローラ、
１２        本体、                            １２ａ      ア−ム、
１３        回転装置、
１４        従来例に係るケーシング。
【図１】
0003186376.tif 000003
【図２】
0003186376.tif 000004
【図３】
0003186376.tif 000005
【図４】
0003186376.tif 000006
【図５】
0003186376.tif 000007
【図６】
0003186376.tif 000008
【図７】
0003186376.tif 000009